(57)【特許請求の範囲】
【請求項１】
蒸気の膨張力を回転力に変換する蒸気膨張機と、
前記蒸気膨張機によって駆動されて対象気体を圧縮する圧縮機と、
前記圧縮機から圧縮された前記対象気体が吐出され、逆止弁を備える吐出流路と、
前記逆止弁の上流側において前記吐出流路から分岐し、放風弁を介して外部に開放した放風流路とを有し、
前記蒸気膨張機の前記蒸気の流量を制御可能な蒸気制御弁と、
前記逆止弁の上流側において前記吐出流路の圧力を検出する吐出圧力検出器と、
前記圧縮機の駆動を停止する際に、前記吐出圧力検出器の検出値が所定の設定圧力以下になるまでは、前記放風弁を開放する停止制御装置とを備えることを特徴とする蒸気駆動式圧縮装置。
【請求項２】
前記停止制御装置は、前記圧縮機の駆動を停止する際に、前記蒸気制御弁の開度を徐々に小さくしつつ、前記放風弁の開度を徐々に大きくすることを特徴とする請求項１に記載の蒸気駆動式圧縮装置。
【請求項３】
前記停止制御装置は、前記圧縮機の駆動を停止する際に、所定の設定時間後に前記蒸気制御弁が全閉となるように前記蒸気制御弁を一定の速度で閉鎖すると同時に、前記設定時間後に前記放風弁が全開となるように、前記放風弁を一定の速度で開放することを特徴とする請求項１に記載の蒸気駆動式圧縮装置。
【請求項４】
前記吐出圧力検出器の検出値が所定の設定圧力以下になったときには、直ちに、前記蒸気制御弁および前記放風弁を全閉にすることを特徴とする請求項２または３に記載の蒸気駆動式圧縮装置。
【発明の詳細な説明】
【技術分野】
【０００１】
本発明は、蒸気駆動式圧縮装置に関する。
【背景技術】
【０００２】
ボイラで発生した蒸気を使用するプラントにおいては、ボイラが発生する中圧（例えば１．２〜１．６ＭＰａ）の蒸気を減圧弁で減圧し、低圧（例えば０．８〜０．９ＭＰａ）の蒸気を需要設備に供給するのが一般的である。減圧弁で蒸気を減圧すると、蒸気の圧力差エネルギーを廃棄することになるためエネルギーを回収することが望まれる。
【０００３】
特許文献１には、蒸気でスクリュ蒸気膨張機（「蒸気モータ」または「スチームエンド」）を駆動することによって、蒸気の圧力エネルギーを回転力に変換して回収し、さらにその蒸気膨張機の回転力によってスクリュ圧縮機（エアエンド）を駆動して、空気を圧縮する蒸気駆動式圧縮装置が記載されている。特許文献１の蒸気駆動式圧縮装置は、蒸気膨張機に蒸気を供給する流路に蒸気制御弁を設け、この制御弁をスクリュ圧縮機の吐出流路の圧力を一定に保つようにＰＩＤ制御することで、蒸気膨張機の回転数を制御するようになっている。
【０００４】
このような蒸気駆動式圧縮装置では、その運転を停止する場合には、蒸気制御弁を全閉にすることによって、蒸気膨張機が駆動トルクを発生しないようにする。しかしながら、運転停止状態において、スクリュ圧縮機の吐出流路の圧力が高い場合には、この吐出流路の圧力によってスクリュ圧縮機のロータを逆回転させるトルクが生じる。つまり、吐出流路の圧力が高いと、スクリュ圧縮機は、スクリュ膨張機として動作することによって逆回転する。蒸気制御弁が閉鎖されている状態では、蒸気膨張機はトルクを発生せず、スクリュ圧縮機の回転を制止することもできない。したがって、従来の蒸気駆動式圧縮装置は、吐出流路の圧力によってスクリュ圧縮機が逆回転することを防止することができない。
【０００５】
蒸気駆動式圧縮装置の構成によっては、このようなスクリュ圧縮機の逆回転を許容できない場合がある。例えば、オイルフリー式スクリュ圧縮機において、ロータ軸、あるいはシール本体にねじを設けて、ロータ軸の回転によって軸受用潤滑油や空気にロータ室から軸受に向かって移動するような圧力を与えるビスコシールと呼ばれるシール構造を採用したものがある。このようなスクリュ圧縮機では、ロータ軸が逆回転すると、ビスコシールが内部の軸受用潤滑油をビスコシールの近傍に設けられた大気開放孔などを通じて外部に排出してしまう。
【先行技術文献】
【特許文献】
【０００６】
【特許文献１】特開２００９−２５０１９６号公報
【発明の概要】
【発明が解決しようとする課題】
【０００７】
前記問題点に鑑みて、本発明は、停止時に逆回転しない蒸気駆動式圧縮装置を提供することを課題とする。
【課題を解決するための手段】
【０００８】
前記課題を解決するために、本発明による蒸気駆動式圧縮装置は、蒸気の膨張力を回転力に変換する蒸気膨張機と、前記蒸気膨張機によって駆動されて対象気体を圧縮する圧縮機と、前記圧縮機から圧縮された前記対象気体が吐出され、逆止弁を備える吐出流路と、前記逆止弁の上流側において前記吐出流路から分岐し、放風弁を介して外部に開放した放風流路とを有し、前記蒸気膨張機の前記蒸気の流量を制御可能な蒸気制御弁と、前記逆止弁の上流側において前記吐出流路の圧力を検出する吐出圧力検出器と、前記圧縮機の駆動を停止する際に、前記吐出圧力検出器の検出値が所定の設定圧力以下になるまでは、前記放風弁を開放する停止制御装置とを備えるものとする。
【０００９】
この構成によれば、圧縮機を停止する際に放風弁を開いて圧縮機の吐出流路の圧力を十分に低下させるので、スクリュ膨張機の駆動トルクがなくなったときに、吐出流路の圧力によって膨張機が逆回転することがない。
【００１０】
また、本発明の蒸気駆動式圧縮装置において、前記停止制御装置は、前記圧縮機の駆動を停止する際に、前記蒸気制御弁の開度を徐々に小さくしつつ、前記放風弁の開度を徐々に大きくしてもよい。この場合には、前記吐出圧力検出器の検出値が所定の設定圧力以下になったときには、直ちに、前記蒸気制御弁および前記放風弁を全閉にすることが好ましい。
【００１１】
この構成によれば、蒸気制御弁を徐々に閉鎖して発生する駆動トルクを漸減させ、放風弁を徐々に開放して吐出流路の圧力を漸減させる。これによって、蒸気膨張機および圧縮機の回転数をスムーズに低下させられる。また、吐出流路の圧力が十分に低下した場合には、直ちに蒸気制御弁および放風弁を全閉にして、運転を完全停止すれば、無駄な蒸気の消費をなくせる。
【００１２】
また、本発明の蒸気駆動式圧縮装置において、前記停止制御装置は、前記圧縮機の駆動を停止する際に、所定の設定時間後に前記蒸気制御弁が全閉となるように前記蒸気制御弁を一定の速度で閉鎖すると同時に、前記設定時間後に前記放風弁が全開となるように、前記放風弁を一定の速度で開放してもよい。この場合にも、前記吐出圧力検出器の検出値が所定の設定圧力以下になったときには、直ちに、前記蒸気制御弁および前記放風弁を全閉にすることが好ましい。
【００１３】
この構成によれば、駆動トルクの減少と吐出流路の圧力低下とを等しいタイムスパンでバランスよく生じさせられるので、蒸気膨張機および圧縮機の回転数をスムーズに低下させられる。
【図面の簡単な説明】
【００１４】
【図１】本発明の第１実施形態の蒸気駆動式圧縮装置の概略構成図である。
【図２】図１の蒸気駆動式圧縮装置における運転停止時の蒸気制御弁と放風弁の開度変化を例示する図である。
【図３】図１の蒸気駆動式圧縮装置における運転停止時の蒸気制御弁と放風弁の開度変化を示し、且つ、図２に示したものより早く吐出圧力が低下した場合を例示する図である。
【図４】図１の蒸気駆動式圧縮装置における運転停止時の蒸気制御弁と放風弁の、図２および図３に示したものとは別の開度変化を例示する図である。
【図５】本発明の第２実施形態の蒸気駆動式圧縮装置の概略構成図である。
【発明を実施するための形態】
【００１５】
これより、本発明の実施形態について、図面を参照しながら説明する。先ず、図１に、本発明の第１実施形態である蒸気駆動式圧縮装置１を示す。蒸気駆動式圧縮装置１は、空気を圧縮すべき対象気体とする圧縮空気製造装置である。
【００１６】
蒸気駆動式圧縮装置１は、蒸気の膨張力を回転力に変換する蒸気膨張機２と、ギア３を介して蒸気膨張機２によって駆動され、空気を圧縮する第１段圧縮機４および第２段圧縮機５とを有する。蒸気膨張機２は、ハウジング内に雌雄一対のスクリュロータを収容してなり、スクリュロータの歯溝内の密閉空間において蒸気を膨張させることによって、スクリュロータを回転させるスクリュエキスパンダである。第１段圧縮機４および第２段圧縮機５は、ハウジング内に雌雄一対のスクリュロータを収容してなり、スクリュロータを回転駆動することによって、スクリュロータの歯溝内の密閉空間において空気を圧縮するスクリュ圧縮機である。
【００１７】
蒸気駆動式圧縮装置１において、第１段圧縮機４と第２段圧縮機５とはインタークーラ６を介して直列に接続されている。つまり、第１段圧縮機４が圧縮して吐出した空気は、インタークーラ６で冷却された後、第２段圧縮機５によってさらに圧縮される。第２段圧縮機５が吐出した圧縮空気は、アフタークーラ７および逆止弁８が介設された吐出流路９を通して不図示のリザーバに送られ、リザーバから需要先に供給される。リザーバには、他の空気圧縮装置が並列に接続されてもよい。
【００１８】
また、蒸気駆動式圧縮装置１は、アフタークーラ７と逆止弁８との間において吐出流路９から分岐し、放風弁１０を介してサイレンサ１１に接続された放風流路１２を有する。つまり、サイレンサ１１を設けた放風流路１２の末端は、大気に開放されている。
【００１９】
さらに、蒸気駆動式圧縮装置１は、吐出流路９の逆止弁８の上流側に、より詳しくは、アフタークーラ７と放風流路１２との間に、圧縮空気の圧力Ｐｄを検出する吐出圧力検出器１３を備える。さらに、蒸気駆動式圧縮装置１は、蒸気膨張機２に蒸気を供給する流路に、開度調節することによって蒸気の流量を制御できる蒸気制御弁１４が設けられている。
【００２０】
そして、蒸気駆動式圧縮装置１は、吐出圧力検出器１３の検出値Ｐｄが入力され、放風弁１０および蒸気制御弁１４の開度を制御する停止制御装置１５を備える。また、停止制御装置１５には、蒸気駆動式圧縮装置１に運転停止を指示するために、オペレータの操作により発生または不図示の外部コントローラが出力する停止信号が入力されるようになっている。
【００２１】
停止制御装置１５は、図２に示すように、停止信号が入力されると、予め定めた設定時間（例えば５秒）後に、蒸気制御弁１４が全閉になるように、一定の速度で蒸気制御弁１４の開度を徐々に小さくする。同時に、停止制御装置１５は、設定時間後に、つまり、蒸気制御弁１４が全閉になると同時に、放風弁１０が全開になるように、放風弁１０の開度を一定の速度で徐々に大きくする。
【００２２】
また、停止制御装置１５は、吐出圧力検出器１３の検出値が、所定の設定圧力（例えば０．０１ＭＰａ）以下になると、放風弁１０を直ちに全閉にする。この設定圧力は、蒸気膨張機２の駆動トルクがゼロであっても、第１段圧縮機４および第２段圧縮機５が、吐出流路９の圧力によって逆回転、つまり、蒸気膨張機として駆動されることがないような十分に低い圧力に設定する。
【００２３】
本実施形態では、吐出流路９の圧力が十分に低下するまで放風弁１０を開放するので、第１段圧縮機４および第２段圧縮機５が、吐出流路９の圧力によって逆回転しない。
【００２４】
また、停止制御装置１５は、蒸気制御弁１４および放風弁１０の開度を徐々に変化させるので、蒸気膨張機２の駆動トルクや第１段圧縮機４および第２段圧縮機５の負荷トルクが急激に変動することがない。このため、蒸気駆動式圧縮装置１では、蒸気膨張機２、第１段圧縮機４および第２段圧縮機５の回転数が急激に変動しないように、スムーズに停止することができる。
【００２５】
尚、停止制御装置１５は、設定時間の経過前に吐出圧力検出器１３の検出値が設定圧力以下になった場合には、設定時間の経過後、つまり、蒸気制御弁１４が全閉および放風弁１０が全開になってから、放風弁１０を閉鎖してもよいが、図３に示すように、所定時間の経過を待つことなく、直ちに、蒸気制御弁１４を全閉にし、且つ、放風弁１０を直ちに全閉にしてもよい。
【００２６】
吐出流路９の圧力が十分に低下した場合は、膨張機４，５の逆転のおそれがないので、直ちに蒸気制御弁１４を全閉にして、無駄な蒸気の消費を抑制できる。
【００２７】
また、蒸気膨張機２、第１段圧縮機４および第２段圧縮機５のスクリュロータ等の慣性力や運転圧力等の条件によっては、蒸気膨張機２、第１段圧縮機４および第２段圧縮機５の回転数が急激に変動する心配がない。その場合は、停止信号が入力された瞬間に、蒸気制御弁１４を全閉にするとともに放風弁１０を全開にしてもよい。
【００２８】
例えば図４に示すように、停止信号が入力されるとすぐに放風弁１０が全開から全閉に切り替えるように構成してもよい。この場合、図２や図３のように放風弁１０の開度を徐々に変化させた場合に比べて、第１段圧縮機４および第２段圧縮機５の負荷トルクに若干の変動が生じるが、放風弁１０として安価な電磁開閉弁を採用できるなど、構成を簡略化できるという利点がある。
【００２９】
また、図５には、本発明の第２実施形態である蒸気駆動式圧縮装置１ａを示す。この蒸気駆動式圧縮装置１ａは、第１実施形態の蒸気駆動式圧縮装置１と多くの構成が共通であるため、同じ構成要素には同じ符号を付して、重複する説明を省略する。
【００３０】
本実施形態の蒸気駆動式圧縮装置１ａは、第１段圧縮機４と第２段圧縮機５とを接続する中間流路から、インタークーラ６の下流側において分岐し、放風弁１６を介してサイレンサ１７に接続された放風流路１８を有する。サイレンサ１７を設けた放風流路１８の末端は、放風流路１２の末端と同様に、大気に開放されている。
【００３１】
また、蒸気駆動式圧縮装置１ａは、第１段圧縮機４の吐出圧力、即ち、第１段圧縮機４と第２段圧縮機５とを接続する中間流路の圧力Ｐｍを検出するための中間圧力検出器１９を備えている。そして、この中間圧力検出器１９の検出値Ｐｍは、停止制御装置１５に入力されている。
【００３２】
本実施形態の停止制御装置１５は、停止信号が入力されると、蒸気制御弁１４を徐々に閉鎖するとともに、放風弁１０および放風弁１６を徐々に開放する。本実施形態では、吐出圧力検出器１３の検出値Ｐｄおよび中間圧力検出器１９の検出値Ｐｍについて、圧力低下が十分であると判断するための設定値が個別に設定されている。
【００３３】
そして、放風弁１０については、停止信号が入力されてから所定時間が経過したこと、または、吐出圧力検出器１３の検出値Ｐｄが設定値以下に低下したことを以て、全閉にする。また、放風弁１６については、停止信号が入力されてから所定時間が経過したこと、または、中間圧力検出器１９の検出値Ｐｍが設定値以下に低下したことを以て、全閉にする。さらに、蒸気制御弁１４については、停止信号が入力されてから所定時間が経過したこと、または、吐出圧力検出器１３の検出値Ｐｄが設定値以下に低下したこと、または中間圧力検出器１９の検出値Ｐｍが設定値以下に低下したことの、いずれかの状態となったことを以て、全閉にする。
【００３４】
このように、各段の圧縮機の吐出圧力を、それぞれ、放風弁を開放して十分に低下させることで、より確実に、蒸気駆動式圧縮装置が停止時に逆回転することを防止できる。
【符号の説明】
【００３５】
１，１ａ…蒸気駆動式圧縮装置
２…蒸気膨張機
４…第１段圧縮機
５…第２段圧縮機
８…逆止弁
９…吐出流路
１０，１６…放風弁
１１，１７…サイレンサ
１２，１８…放風流路
１３…吐出圧力検出器
１４…蒸気制御弁
１５…停止制御装置
１９…中間圧力検出器
【図１】
0005568518.tif 000002
【図２】
0005568518.tif 000003
【図３】
0005568518.tif 000004
【図４】
0005568518.tif 000005
【図５】
0005568518.tif 000006